(57)【要約】【課題】  ねじを用いずに、簡単な取付作業で、確実に且つ強固に装飾部材をケース本体に固定できるようにする。【解決手段】  ケース本体４の外側面に軟質合成樹脂製の装飾部材７をピン部材８で取り付けるときに、装飾部材７のピン取付孔２５にピン部材８を挿入し、このピン部材８の両端部をケース本体４に形成された一対の係止突起部２８の各上面に配置し、この状態で装飾部材７を上方から押圧する。すると、ピン部材８の両端部が一対の係止突起部２８の各上面に沿って移動しながら装飾部材７を弾性変形させて一対の係止突起部２８の各凹部２９に係合する。これにより、装飾部材７の係合凹部２１がケース本体４の係止凸部２７に係合して、装飾部材７がケース本体４に固定される。従って、ねじを用いずに、ピン部材８が取り付けられた装飾部材７を上方から押圧するだけの簡単な作業で、装飾部材７をケース本体４に確実に且つ強固に固定することができる。【選択図】        図７
2006194811.tif 000002
【特許請求の範囲】
【請求項１】
ケース本体と、このケース本体の側面に配置される合成樹脂製の装飾部材と、この装飾部材を前記ケース本体に取り付けるためのピン部材とを備え、
前記装飾部材には、前記ケース本体の側面に対応する係合部が形成されていると共に、この係合部の下側に位置する下部に前記ピン部材が挿入する取付孔が形成され、
前記ケース本体の側面には、前記装飾部材の前記係合部が係合する係止部が形成されていると共に、この係止部の下側に位置する下部に前記ピン部材の両端部を係止する凹部を有する一対の突起部が形成され、
前記ピン部材は、前記装飾部材の前記取付孔に挿入され、この状態で前記ピン部材の両端部が、前記ケース本体の前記突起部の上面に沿って移動しながら前記装飾部材を弾性変形させて、前記突起部の前記凹部に係合することにより、前記装飾部材の前記係合部を前記ケース本体の前記係止部に係合させて、前記装飾部材を前記ケース本体に固定する
ことを特徴とする装飾部材の固定構造。
【請求項２】
前記ケース本体の前記一対の突起部の各上面には、前記ピン部材の両端部を前記突起部の前記凹部にガイドするガイド傾斜面がそれぞれ形成されていることを特徴とする請求項１に記載の装飾部材の固定構造。
【請求項３】
前記装飾部材における前記係合部と前記取付孔との間に位置する個所には、食込み凹部が形成されていることを特徴とする請求項１または２に記載の装飾部材の固定構造。
【請求項４】
前記ケース本体の外周部にはベゼルが装着され、このベゼルには前記装飾部材が挿入する切欠き部が形成され、これにより前記ケース本体には、前記ベゼルが装着されると共に、前記装飾部材が前記ベゼルの前記切欠き部内に配置された状態で前記ピン部材によって取り付けられていることを特徴とする請求項１〜３のいずれかに記載の装飾部材の固定構造。
【発明の詳細な説明】
【技術分野】
【０００１】
この発明は、腕時計ケースなどの機器ケースに用いられる装飾部材の固定構造に関する。
【背景技術】
【０００２】
従来、腕時計ケースにおいては、特許文献１に記載されているように、ケース本体の上部外周に装飾リングを取り付ける場合、ケース本体の側面に時計バンドを取り付けるためのバンド取付部品を複数のねじによって固定し、このバンド取付部品に装飾リングを保持するための爪部を形成し、このバンド取付部品の爪部によって装飾リングの外周に僅かのクリアランスを有して装飾リングを抱え込んで保持すように構成したものがある。
【特許文献１】実開平３−３６９９２号公報
【発明の開示】
【発明が解決しようとする課題】
【０００３】
しかしながら、このような従来の腕時計ケースでは、ケース本体の側面にバンド取付部品を複数のねじで固定しているため、ケース本体の側面に形成された複数のねじ孔と、バンド取付部品に形成された複数のねじ挿通孔とに位置ずれが生じると、バンド取付部品をケース本体の側面の所定位置に正確に取り付けることができなくなり、バンド取付部品の爪部が装飾リングの外周に僅かのクリアランスを有して正確に且つ良好に装飾リングを抱え込むことが困難になり、バンド取付部品の爪部が装飾リングを傷付ける恐れが生じる。
【０００４】
このため、このような従来の腕時計ケースでは、バンド取付部品をケース本体に取り付ける際、その位置合わせ作業が非常に面倒で、時間がかかるという問題があるほか、特にバンド取付部品をケース本体に取り付けるためには、複数のねじを用いなければ、バンド取付部品をケース本体に確実に固定することができず、このため部品点数が増大し、これによってもバンド取付部品の取付作業が煩雑になり、取付作業に時間がかかるという問題がある。
【０００５】
この発明が解決しようとする課題は、ねじを用いずに、簡単な取付作業で、確実に且つ強固に装飾部材をケース本体に固定することができる装飾部材の固定構造を提供することである。
【課題を解決するための手段】
【０００６】
この発明は、上記課題を解決するために、次のような構成要素を備えている。
なお、各構成要素には、後述する実施形態の項で説明される各要素に付されている図面の参照番号などを括弧と共に付す。
【０００７】
請求項１に記載の発明は、図１〜図７に示すように、ケース本体（４）と、このケース本体の側面に配置される合成樹脂製の装飾部材（７）と、この装飾部材を前記ケース本体に取り付けるためのピン部材（８）とを備え、前記装飾部材には、前記ケース本体の側面に対応する係合部（係合凹部２１）が形成されていると共に、この係合部の下側に位置する下部に前記ピン部材が挿入する取付孔（ピン取付孔２５）が形成されており、前記ケース本体の側面には、前記装飾部材の前記係合部が係合する係止部（係止凸部２７）が形成されていると共に、この係止部の下側に位置する下部に前記ピン部材の両端部を係止する凹部（２９）を有する一対の突起部（係止突起部２８）が形成されており、前記ピン部材は、前記装飾部材の前記取付孔に挿入され、この状態で前記ピン部材の両端部が、前記ケース本体の前記突起部の上面に沿って移動しながら前記装飾部材を弾性変形させて、前記突起部の前記凹部に係合することにより、前記装飾部材の前記係合部を前記ケース本体の前記係止部に係合させて、前記装飾部材を前記ケース本体に固定することを特徴とする装飾部材の固定構造である。
【０００８】
請求項２に記載の発明は、図１〜図７に示すように、前記ケース本体（４）の前記一対の突起部（係止突起部２８）の各上面に、前記ピン部材（８）の両端部を前記突起部の前記凹部（２９）にガイドするガイド傾斜面（３０）がそれぞれ形成されていることを特徴とする請求項１に記載の装飾部材の固定構造である。
【０００９】
請求項３に記載の発明は、図１〜図７に示すように、前記装飾部材（７）における前記係合部（係合凹部２１）と前記取付孔（ピン取付孔２５）との間に、食込み凹部（２２）が形成されていることを特徴とする請求項１または２に記載の装飾部材の固定構造である。
【００１０】
請求項４に記載の発明は、図１〜図７に示すように、前記ケース本体（４）の外周部にベゼル（５）が装着され、このベゼルに前記装飾部材（７）が挿入する切欠き部（６）が形成され、これにより前記ケース本体には、前記ベゼルが装着されると共に、前記装飾部材が前記ベゼルの前記切欠き部内に配置された状態で前記ピン部材（８）によって取り付けられていることを特徴とする請求項１〜３のいずれかに記載の装飾部材の固定構造である。
【発明の効果】
【００１１】
請求項１に記載の発明によれば、ケース本体の側面に合成樹脂製の装飾部材をピン部材で取り付けるときに、装飾部材の取付孔にピン部材を挿入し、この装飾部材の係合部をケース本体の側面に対応させると共に、ピン部材の両端部をケース本体に形成された一対の突起部の各上面に配置し、この状態で装飾部材を上方から押圧すると、ピン部材の両端部が一対の突起部の各上面に沿って移動しながら合成樹脂製の装飾部材を弾性変形させ、ピン部材の両端部が一対の突起部の各凹部に係合すると、装飾部材がその弾性復帰力によってケース本体の側面に押し付けられることにより、装飾部材の係合部がケース本体の係止部に係合して、装飾部材がケース本体に固定されるので、ピン部材が取付孔に挿入された装飾部材を上方から押圧するだけの簡単な作業で、装飾部材をケース本体に確実に且つ強固に固定することができる。
【００１２】
このため、従来例のように複数のねじで装飾部材をケース本体に取り付ける必要がないので、ケース本体に対する装飾部材の位置合わせ作業が簡単で且つ容易にでき、これにより取付作業の時間を大幅に短縮することができ、生産性の向上を図ることができるほか、特に複数のねじを用いてないので、部品点数を最小限に抑えることができ、これにより部品点数の増大を防ぐことができるので、部品管理の簡素化をも図ることができる。
【００１３】
請求項２に記載の発明によれば、ケース本体に形成された一対の突起部の各上面に、ピン部材の両端部を一対の突起部の各凹部にガイドするガイド傾斜面がそれぞれ形成されていることにより、装飾部材の取付孔に挿入されたピン部材の両端部を一対の突起部の各上面に配置した状態で、装飾部材を上方から押圧したときに、一対の突起部の各上面に形成されたガイド傾斜面によってピン部材の両端部を一対の突起部の各凹部に円滑にガイドすることができるので、ピン部材の両端部を一対の突起部の各凹部に確実に且つ良好に係合させることができ、これによっても取付作業性を向上させることができる。
【００１４】
請求項３に記載の発明によれば、装飾部材における係合部と取付孔との間に位置する個所に、食込み凹部が形成されていることにより、装飾部材における食込み凹部に対応する個所に、肉厚の薄いくびれ部を形成することができる。このため、装飾部材を上方から押圧してピン部材の両端部がケース本体の一対の突起部の各上面に沿って移動するときに、装飾部材に形成された肉厚の薄いくびれ部によって、装飾部材の下部側を弾性変形しやすくすることができる。
【００１５】
これにより、ピン部材の両端部を一対の突起部の各上面に沿って円滑に移動させることができるので、ピン部材の両端部を一対の突起部の各凹部に確実に且つ良好に係合させることができると共に、ピン部材の両端部が一対の突起部の各凹部に係合すると、装飾部材がその弾性復帰力によってケース本体の側面に押し付けられるので、装飾部材の係合部をケース本体の係止部に確実に且つ良好に係合させることができる。このため、ケース本体に対する装飾部材の上部のめくれを防ぐことができ、これによっても装飾部材をケース本体に確実に且つ強固に固定することができる。
【００１６】
請求項４に記載の発明によれば、ケース本体の外周部にベゼルが装着され、このベゼルに装飾部材が挿入する切欠き部が形成され、これによりケース本体には、ベゼルが装着されると共に、装飾部材がベゼルの切欠き部内に配置された状態でピン部材によって取り付けられていることにより、ベゼルによる装飾効果と、装飾部材によるアクセントとしての装飾効果との両方の装飾効果を得ることができ、これにより装飾性の高いものを得ることができる。
【発明を実施するための最良の形態】
【００１７】
以下、図１〜図７を参照して、この発明の装飾部材の固定構造を腕時計ケースに適用した実施形態について説明する。
図１はこの発明の腕時計の外観斜視図、図２は図１の側面図、図３は図２の腕時計ケースの分解斜視図、図４は図３の装飾部材を左右反転させて示した斜視図、図５は図１のＡ−Ａ矢視における拡大断面である。
この腕時計ケース１は、図１〜図５に示すように、１２時と６時とに対応する個所に時計バンド２がそれぞれ取り付けられていると共に、３時側と９時側とに対応する個所（９時側の個所は図示せず）に押釦スイッチ３が設けられた構成になっている。
【００１８】
この腕時計ケース１は、図３および図５に示すように、ケース本体４と、このケース本体４の外周面に装着されるベゼル５と、このベゼル５に形成された切欠き部６内に配置されてケース本体４の側面に取り付けられる装飾部材７と、この装飾部材７をケース本体４に取り付けるためのピン部材８とを備えている。ケース本体４は、硬質の合成樹脂または金属からなり、図３に示すように、全体がほぼ円筒形のリング状に形成されており、その内側上部には、図５に示すように、時計ガラス９が装着されている。この時計ガラス９の下側に位置するケース本体４の内部には、図５に示すように、時計モジュール１０が配置されている。
【００１９】
この時計モジュール１０は、図１に示すように、時刻などの情報を表示する表示部を備えているほか、時計機能に必要な各種の部品を備えている。この場合、表示部は、液晶表示素子やＥＬ（エレクトロ・ルミネッセンス）表示素子などの平面型の表示素子からなり、時刻などの情報を電気光学的に表示するもので、時計ガラス９に対応して配置されている。また、ケース本体４内における時計モジュール１０と時計ガラス９との間には、図５に示すように、見切り板１１が配置されている。さらに、ケース本体４の下部には、図２および図５に示すように、裏蓋１２が防水リング１３を介して取り付けられている。
【００２０】
また、このケース本体４の外側面における１２時と６時とに対応する個所には、図３に示すように、バンド取付部１４が形成されている。このバンド取付部１４は、時計バンド２をケース本体４に取り付けるためのものであり、ケース本体４の外側面における下部から外部側方に向けて突出する一対の取付アーム部１４ａを有し、これら一対の取付アーム部１４ａの各側面にバンド取付用のねじ孔１５が互いに対応して設けられた構成になっている。また、ケース本体４の外側面における３時側と９時側とに位置する個所には、図３に示すように、押釦スイッチ３のスイッチ取付凹部１６とベゼル取付凹部１７とが設けられている。
【００２１】
ベゼル５は、ポリウレタン樹脂などの軟質合成樹脂からなり、図１〜図３に示すように、全体がほぼリング状に形成され、ケース本体４の外周部にその上端面から側面を覆って装着されるように構成されている。すなわち、このベゼル５は、上部が小径で下部が大径の段差を有するほぼリング状に形成され、その上部の内周面がケース本体４の上端面に配置され、下部の内周面がケース本体４の側面に配置されるように形成されている。
【００２２】
このベゼル５におけるバンド取付部１４に対応する個所、つまり１２時と６時とに対応する個所には、図３に示すように、装飾部材７を配置するための切欠き部６が上部から下部に亘って形成されていると共に、この切欠き部６内には、ベゼル５同士を連結するための連結部１８が形成されている。この連結部１８は、図５に示すように、ほぼ平板状に形成されて、切欠き部６の対向面に架け渡され、ケース本体４の外周部における上端面に両面接着テープ１８ａを介して配置されるように構成されている。
【００２３】
また、このベゼル５の下端部には、図３に示すように、バンド取付部１４の一対の取付アーム部１４ａを覆うバンド取付カバー部１９が形成されていると共に、ケース本体４のベゼル取付凹部１７に配置されるベゼル取付カバー部２０が形成されている。この場合、バンド取付カバー部１９には、各取付アーム部１４ａのねじ孔１５に対応するねじ挿入孔１９ａが設けられている。また、ベゼル取付カバー部２０には、ねじ２０ａが挿入するねじ挿入孔２０ｂが設けられている。このねじ２０ａは、ベゼル取付カバー部２０のねじ挿入孔２０ｂを通してケース本体４のベゼル取付凹部１７内のねじ孔１６ｃに螺着することにより、ベゼル取付カバー部２０をケース本体４に固定するように構成されている。
【００２４】
ところで、ベゼル５の切欠き部６内に配置される装飾部材７は、ベゼル５と同様、ポリウレタン樹脂などの軟質合成樹脂からなり、図３および図４に示すように、ベゼル５の切欠き部６とほぼ同じ形状に形成されている。この場合、装飾部材７の内面、つまりケース本体４の外側面に対向する面には、図４および図５に示すように、係合凹部２１が形成されており、この係合凹部２１の下側に位置する装飾部材７の内面には、食込み凹部２２が形成されている。これにより、装飾部材７は、食込み凹部２２に対応する部分に肉厚の薄いくびれ部２３が形成されている。
【００２５】
また、この装飾部材７の下端部には、図３〜図５に示すように、ピン取付部２４が下方に突出して形成されている。すなわち、このピン取付部２４は、図３に示すように、ベゼル５のバンド取付カバー部１９に位置する切欠き部６を通して、バンド取付部１４の一対の取付アーム部１４ａ間に配置されるように形成されており、このピン取付部２４の中心部には、ピン部材８が圧入により取り付けられるピン取付孔２５が形成されている。また、この装飾部材７の上端部には、図５に示すように、ケース本体４の外周部における上端面に配置されたベゼル５の連結部１８を押える押え部２６が形成されている。
【００２６】
一方、バンド取付部１４に対応する個所におけるケース本体４の外側面の上部には、図３〜図５に示すように、装飾部材７の係合凹部２１が係合する係止凸部２７が外方に突出して形成されている。この係止凸部２７は、図３および図５に示すように、上部から下部に向けて次第に突出して傾斜する傾斜面を有し、この傾斜面の下端面がほぼ水平な平面をなし、これにより全体がほぼ楔形状に形成されている。また、この係止凸部２７の下側に位置するケース本体４の側面の下部には、図３および図５に示すように、ピン部材８の両端部を係止するための一対の係止突起部２８が、バンド取付部１４の一対の取付アーム部１４ａ間に位置した状態で形成されている。
【００２７】
すなわち、これら一対の係止突起部２８は、図３に示すように、バンド取付部１４の一対の取付アーム部１４ａにおける対向面に一体的に設けられ、その外側への突出長さが取付アーム部１４ａの長さよりも短く、且つ上面が取付アーム部１４ａの上面よりも低く形成されている。これにより、一対の取付アーム部１４ａは、その対向面が一対の係止突起部２８の上側および先端側に亘ってガイド壁をなすように構成されている。この場合、一対の係止突起部２８の各先端部には、図５に示すように、ピン部材８の両端部がそれぞれ挿入する半円弧状の凹部２９が形成されている。また、これら一対の係止突起部２８の上面には、ピン部材８の両端部を各凹部２９にガイドするガイド傾斜面３０がそれぞれ所定角度で傾斜して形成されている。
【００２８】
また、ピン部材８は、図３および図５に示すように、その外径が装飾部材７のピン取付孔２５の内径とほぼ同じ大きさの丸棒状に形成され、これにより装飾部材７のピン取付孔２５内に圧入されるように構成されている。また、このピン部材８は、その長さがバンド取付部１４の一対の取付アーム部１４ａ間の幅と同じか、それよりも少し短く形成され、これによりピン部材８の両端部が一対の係止突起部２８の各上面に配置されると共に、ピン部材８の両端面が一対の取付アーム部１４ａの対向面間に配置され、この状態でピン部材８の両端部が一対の係止突起部２８の各上面に沿って移動して一対の係止突起部２８の各先端部に形成された各凹部２９にそれぞれ挿入して係止されるように構成されている。
【００２９】
次に、このような腕時計ケース１を組み立てる場合について説明する。
予め、ケース本体４内の上部に時計ガラス９を装着し、ケース本体４内に時計モジュール１０を収納し、ケース本体４の下部に防水リング１３を介して裏蓋１２を取り付ける。そして、ケース本体４の外周面にベゼル５を取り付ける。このときには、図３に示すように、ベゼル５の切欠き部６をケース本体４のバンド取付部１４に対応させると共に、ベゼル５のベゼル取付カバー部２０をケース本体４のベゼル取付凹部１７に対応させる。
【００３０】
この状態で、ベゼル５の上部の内周面をケース本体４の上端面に当接させると共に、ベゼル５の下部の内周面をケース本体４の外周面に当接させると、バンド取付カバー部１９がバンド取付部１４の一対の取付アーム部１４ａを覆い、このバンド取付カバー部１９のねじ挿通孔１９ａが取付アーム部１４ａのねじ孔１５に対応し、ベゼル取付カバー部２０のねじ挿入孔２０ｂがベゼル取付凹部１７のねじ孔１６ｃに対応する。これにより、ねじ２０ａをベゼル取付カバー部２０のねじ挿入孔２０ｂに挿入させてベゼル取付凹部１７のねじ孔１６ｃに螺着すると、ベゼル５がケース本体４に固定される。
【００３１】
この後、図３に示すように、ピン部材８を装飾部材７のピン取付部２４に形成されたピン取付孔２５に圧入により挿入して取り付ける。そして、このピン部材８が取り付けられた装飾部材７をベゼル５の切欠き部６内に配置する。このときには、図６に示すように、装飾部材７の係合凹部２１をバンド取付部１４に対応する個所のケース本体４の外側面に対向させて、ピン部材８の両端部を一対の係止突起部２８の各上面に配置すると共に、ベゼル５の切欠き部６内に位置する連結部１８とケース本体４の外周部における上端面との間に両面接着テープ１８ａを配置する（図７参照）。
【００３２】
この状態で、図６に示すように、装飾部材７を上方から押圧すると、装飾部材７がケース本体４の外側面に押し付けられた状態で下方に移動すると共に、ピン部材８の両端部が一対の係止突起部２８の各上面に沿って移動するので、装飾部材７の下部側がケース本体４の外側に向けて押し出されるように弾性変形する。このときには、装飾部材７の内面に形成された食込み凹部２２によって装飾部材７に肉厚の薄いくびれ部２３が形成されているので、このくびれ部２３によって装飾部材７の下部側がピン部材８の移動に応じて容易に且つ良好に弾性変形する。
【００３３】
また、装飾部材７が弾性変形しながらピン部材８の両端部が一対の係止突起部２８の各上面に沿って移動するときには、図７に示すように、係止突起部２８の上面に形成されたガイド傾斜面３０によってピン部材８の両端部が一対の係止突起部２８の各凹部２９に向けて円滑に且つ良好にガイドされる。特に、このときには、バンド取付部１４の一対の取付アーム部１４ａの対向面が一対の係止突起部２８の各上面および各先端面よりも突出してガイド壁を構成しているので、この取付アーム部１４ａの対向面によるガイド壁によってピン部材８の両端面をガイドすることができ、これによりピン部材８が横方向に位置ずれすることなく、一対の係止突起部２８の各凹部２９に確実にガイドされる。
【００３４】
そして、ピン部材８の両端部が一対の係止突起部２８の凹部２９に係合すると、図５および図７に示すように、装飾部材７がその弾性復帰力によってケース本体４の外側面に押し付けられて、装飾部材７の係合凹部２１がケース本体４の外側面の係止凸部２７に係合すると共に、装飾部材７の上部の押え部２６がケース本体４の外周部における上端面に配置されたベゼル５の連結部１８を両面接着テープ１８ａを介して押え付け、この状態で装飾部材７がケース本体４の外側面に固定される。
【００３５】
なお、この後は、ケース本体４のバンド取付部１４に時計バンド２を取り付ける。このときには、図３および図５に示すように、時計バンド２の先端面を装飾部材７の外側面とベゼル５の外側面とに当接させることにより、時計バンド２の先端部でバンド取付部１４を覆い、この状態で時計バンド２に設けられたねじ挿通孔２ａを通してねじ３１をバンド取付部１４の各取付アーム部１４ａに設けられた各ねじ孔１５に螺着することにより、時計バンド２がケース本体４のバンド取付部１４に取り付けられる。
【００３６】
このように、この腕時計ケース１によれば、ケース本体４の外側面に軟質合成樹脂製の装飾部材７をピン部材８で取り付けるときに、装飾部材７のピン取付孔２５にピン部材８を圧入し、このピン部材８の両端部をケース本体４に形成された一対の係止突起部２８の各上面に配置し、この状態で装飾部材７を上方から押圧すると、ピン部材８の両端部が一対の係止突起部２８の各上面に沿って移動しながら装飾部材７の下部側を弾性変形させ、ピン部材８の両端部が一対の係止突起部２８の各凹部２９に係合すると、装飾部材７がその弾性復帰力によってケース本体４の側面に押し付けられ、これにより装飾部材７の係合凹部２１がケース本体４の係止凸部２７に係合して、装飾部材７がケース本体４に固定されるので、ピン部材８が取り付けられた装飾部材７を上方から押圧するだけの簡単な作業で、装飾部材７をケース本体４に確実に且つ強固に固定することができる。
【００３７】
このため、従来例のように複数のねじで装飾部材７をケース本体４に取り付ける必要がないので、ケース本体４に対する装飾部材７の位置合わせ作業が簡単で且つ容易にでき、これにより取付作業の時間を大幅に短縮することができるので、生産性の向上を図ることができるほか、特に複数のねじを用いてないので、部品点数を最小限に抑えることができ、これにより部品点数の増大を防ぐことができ、これにより部品管理の簡素化をも図ることができる。
【００３８】
この場合、ケース本体４の一対の係止突起部２８の各上面には、ピン部材８の両端部を係止突起部２８の凹部２９にガイドするガイド傾斜面３０がそれぞれ所定角度で傾斜して形成されているので、装飾部材８のピン取付孔２５に挿入されたピン部材８の両端部を一対の係止突起部２８の各上面に配置した状態で、装飾部材７を上方から押圧するときに、一対の係止突起部２８の各上面に形成されたガイド傾斜面３０によってピン部材８の両端部を係止突起部２８の凹部２９に円滑にガイドすることができ、このためピン部材８の両端部を一対の係止突起部２８の各凹部２９に確実に係合させることができ、これによっても取付作業性を向上させることができる。
【００３９】
また、このときには、装飾部材８における係合凹部２１とピン取付孔２５との間に食込み凹部２２が形成されていることにより、装飾部材７における食込み凹部２２に対応する個所に肉厚の薄いくびれ部２３を形成することができる。このため、装飾部材７が上方から押圧されて、装飾部材７に取り付けられたピン部材８の両端部がケース本体４に形成された一対の係止突起部２８の各上面に沿って移動するときに、装飾部材７に形成された肉厚の薄いくびれ部２３によって、装飾部材７の下部側を弾性変形しやすくすることができる。
【００４０】
これにより、ピン部材８の両端部を一対の係止突起部２８の各上面に沿って円滑に移動させることができるので、装飾部材７とケース本体４とが互いに傷付けることなく、ピン部材８の両端部を一対の係止突起部２８の各凹部２９に円滑に且つ良好に係合させることができると共に、ピン部材８の両端部が一対の係止突起部２８の各凹部２９に係合すると、装飾部材７がその弾性復帰力によってケース本体４の外側面に押し付けられるので、装飾部材７の係合凹部２１をケース本体４の係止凸部２７に確実に且つ良好に係合させることができる。
【００４１】
このため、図７に示すように、装飾部材７の上端部の押え部２６が矢印Ｂ方向から外力が加わっても、ケース本体４に対する装飾部材７の上部のめくれを防ぐことができ、これによりベゼル５の切欠き部６内に位置する連結部１８を装飾部材７の押え部２６によって確実に押えることができる。この場合、特にバンド取付部１４に時計バンド２が取り付けられると、この時計バンド２の先端面が装飾部材７の外面に当接して装飾部材７が押えられるので、図５における矢印Ｅ方向の外力が装飾部材７に加わっても、装飾部材７の押え部２６が連結部１８から外れるのを確実に防ぐことができる。
【００４２】
さらに、この腕時計ケース１では、ケース本体４の外周部にベゼル５が装着され、このベゼル５に装飾部材７が挿入する切欠き部６が形成され、これによりケース本体４には、ベゼル５が装着されると共に、装飾部材７がベゼル５の切欠き部６内に配置された状態でピン部材８によって取り付けられることにより、ベゼル５による装飾効果と装飾部材７によるアクセントとしての装飾効果との両方の装飾効果が得られ、これにより装飾性の高いものを得ることができる。
【００４３】
なお、上記実施形態では、ケース本体４の外側面に固定される装飾部材７とベゼル５とを別々に形成した場合について述べたが、これに限らず、装飾部材７にベゼル５を一体に形成した構成でも良い。このようにすれば、部品点数を削減できるばかりか、組み付け作業の簡素化をも図ることができ、より一層、生産性の向上を図ることができる。
【００４４】
また、上記実施形態では、機器ケースとして、腕時計ケース１に適用した場合について述べたが、これに限らず、例えばトラベルウォッチ、目覚まし時計、置き時計、掛け時計などの時計ケースにも適用することができるほか、携帯電話機や電卓、ＰＤＡ（パーソナル・デジタル・アシスタント）などの各種電子機器の機器ケースに広く適用することができる。
【図面の簡単な説明】
【００４５】
【図１】この発明を適用した腕時計の外観斜視図である。
【図２】図１の側面図である。
【図３】図１の腕時計ケースの分解斜視図である。
【図４】図３の装飾部材を左右反転させた斜視図である。
【図５】図１のＡ−Ａ矢視における要部の拡大断面図である。
【図６】図３の装飾部材をケース本体に取り付ける前の状態を示した要部の拡大断面図である。
【図７】図６の状態で装飾部材がケース本体に取り付けられるときのピン部材の移動軌跡を示した要部の拡大断面図である。
【符号の説明】
【００４６】
１  腕時計ケース
４  ケース本体
５  ベゼル
６  切欠き部
７  装飾部材
８  ピン部材
１４  バンド取付部
２１  係合凹部
２２  食込み凹部
２３  くびれ部
２４  ピン取付部
２５  ピン取付孔
２７  係止凸部
２８  係止突起部
２９  凹部
３０  ガイド傾斜面
【図１】
2006194811.tif 000003
【図２】
2006194811.tif 000004
【図３】
2006194811.tif 000005
【図４】
2006194811.tif 000006
【図５】
2006194811.tif 000007
【図６】
2006194811.tif 000008
【図７】
2006194811.tif 000009